【事件の表示】
　商願２００６−　２２０１２拒絶査定不服審判事件について、次のとおり審決する。
【結　論】
　本件審判の請求は、成り立たない。
【理　由】
１　本願商標
　本願商標は、「ロハスライフ」の片仮名文字と「ｌｏｈａｓｌｉｆｅ」の欧文字を二段に横書きしてなり、第２４類「織物，メリヤス生地，フェルト及び不織布，オイルクロス，ゴム引防水布，ビニルクロス，ラバークロス，レザークロス，ろ過布，布製身の回り品，かや，敷布，布団，布団カバー，布団側，まくらカバー，毛布，織物製テーブルナプキン，ふきん，シャワーカーテン，のぼり及び旗（紙製のものを除く。），織物製トイレットシートカバー，織物製いすカバー，織物製壁掛け，カーテン，テーブル掛け，どん帳，遺体覆い，経かたびら，黒白幕，紅白幕，ビリヤードクロス，布製ラベル」を指定商品として、平成１８年３月１３日に登録出願されたものである。
　
２　原査定の拒絶の理由
　原査定は、要するに「本願商標は、『ロハスライフ』と『ｌｏｈａｓｌｉｆｅ』の文字を普通に用いられる方法で二段併記してなるところ、これは、全体として『環境と人間にできるだけ負荷を与えないことをモットーとする生活』程の意味合いを看取させる一種のキャッチフレーズとして認識させるものであるから、自他商品の識別標識としての機能を果たし得ず、結局、需要者が何人かの業務に係る商品であることを認識することができないものと認められる。したがって、本願商標は、商標法第３条第１項第６号に該当する。」として、本願を拒絶したものである。
　
３　当審の判断
　本願商標は、「ロハスライフ」の片仮名文字と「ｌｏｈａｓｌｉｆｅ」の欧文字を二段に横書きしてなるものである。
　そして、「ロハス」（ｌｏｈａｓ）は、「健康と環境、持続可能な社会生活を心掛ける生活スタイルの総称」（「Lifestyles of Health and Sustainability」の頭文字に因む。）を意味する（現代用語の基礎知識２００７年版　６４１頁）語であり、「ライフ」（ｌｉｆｅ）は、「生活。暮らし。」等を意味する語として広く使用されている語である。
　そうとすると、本願商標の「ロハスライフ」及び「ｌｏｈａｓｌｉｆｅ」は、「健康と環境、持続可能な社会生活を心掛ける生活スタイルによる生活、暮らし」の意味合いを容易に認識させるものである。
　また、「ロハス」については、前述の現代用語の基礎知識２００７年版に「アメリカ成人人口の３０％、約６８００万人以上がＬＯＨＡＳを重視する消費者であり、アメリカでの市場規模は３５１０億ドル、全世界では５４００億ドル余にのぼると算定される。日本では、２０００（平成１２）年以降にメディアに取り上げられるようになり、０４年３月の月刊誌「ソトコト」のロハス特集などにより拡大していった。０５年イースクエア（経営コンサルタント会社）による調査によれば、日本では成人の２９％以上がロハス層だという。ロハス層は環境にやさしいライフスタイルを心掛ける、持続可能な経済の実現を願う、予防医学・代替医療を心掛け、なるべく薬に頼らない、ヘルシーな食品やナチュラルなパーソナルケア製品を愛用する、自己啓発のために投資する、などの特徴があるとされる。」と記載されているように、前記ライフスタイルへの関心が高く、それに適した商品を好んで購入、使用するなど前記ライフスタイルによる生活を営む者が広く存在しているところである。
　そして、前記ライフスタイルに適した商品が本願指定商品に係る商品分野を含め幅広い分野で販売され、また、それらの商品の販売に際して、「ロハスライフ」「ローハスライフ」が「健康と環境、持続可能な社会生活を心掛ける生活スタイルによる生活、暮らし」の意味合いをもって一般的に使用されていることは、以下のような新聞記事やインターネットの情報からも窺い知ることができる。
（１）「Ｌｏｈａｓ　ｄｅ　ｎｅｔ」（ロハスｄｅネット）と題するショッピングサイトに「地球温暖化　『気にはなるけど、なかなかできなくて・・・』そんなあなたにロハスな生活、
ロハスライフ
オーガニックコットンタオル
オーガニックコットン下着/オーガニックコットンtシャツ/オーガニックコットンパジャマ/オーガニックコットン通販
オーガニックコットンぬいぐるみ/オーガニックコットン子供服/オーガニックコットンバスローブ
オーガニックコットン布ナプキン/出産祝いオーガニックコットン/オーガニックコットン衣料品/オーガニックコットン肌着
オーガニックコットンワンピース/オーガニックコットンシャツ/オーガニックコットン出産祝い/オーガニックコットン服
オーガニックコットンシーツ
オーガニックコットンバスタオル
マニフレックスシングル
マニフレックスダブル
マニフレックスマットレス
マニフレックスセミダブル
オーガニック食品/オーガニックコーヒー/オーガニックワイン/オーガニックフード/有機栽培コーヒー/有機栽培珈琲
有機栽培ワイン/イタリアスローフード/ナノクラスター有機ゲルマニウム水/有機ゲルマニウム水
フェア トレード/フェアトレードショップ/フェア トレード商品/フェア トレード通販/フェア トレード店/フェアトレード雑貨」の商品記載（なお、この商品は、前記グループの「０５」のページである。また、サイト上の当該商品名をクリックすると販売する具体的商品の紹介がある。）がある（http://www.lohasde.net/lohas/g05.html）。
（２）「ＬＯＨＡＳ−ＷＯＲＬＤ」と題するウェブサイトの「リンク集　Ｌ
ＯＨＡＳなライフスタイル
ローハスライフ
（３）「Ｔａｋａｒａ−Ｆａｒｍ」と題するウェブサイトの「ＣＡＴＥＧＯＲＹ」欄に「
ロハスライフ
ロハスライフ
（４）「Ｔａｋａｒａ−Ｆａｒｍ」と題するウェブサイトの「オーガニックコットン・マフラー」のページに「
ロハスライフ
（５）株式会社松坂屋（松坂屋デパート）の上野店のウェブサイトの「フェア＆イベント」のページに「ロハスカントリー紀行　松坂屋
ロハスライフ
バスタオル
フェイスタオル
ウォッシュタオル
（６）株式会社松坂屋（松坂屋デパート）の名古屋駅店のウェブサイトの
「＠NAGOYAEKITEN-NIKKI　レジ袋いりませんと言えますか？」と題する２００７年９月２４日付けのページに「■マツザカヤ　
ロハスライフ
（７）「銀座三越ロハスフェア　2006　6/6火〜6/12月」の紹介ウェブサイトに「Quality of 
LOHAS Life
wash
Face 
Bath 
（８）恵比寿三越の「ロハスウィーク」のウェブサイトに「ずっと続けていける
ロハスライフ
ロハスライフ
（９）「関心空間」と題するウェブサイトの「水も包めるふろしき『ながれ』一枚￥3570円　96×96cm」の商品紹介に「環境に優しい
ロハスライフ
風呂敷
（１０）2006年6月15日付け南日本新聞朝刊に「企画［大波小波］ロハス週間始まる／鹿児島市／三越鹿児島店」の見出しのもと、「健康と環境に関心を持ち、その持続を求めるライフスタイルとして注目されている『ロハス』に関連した商品を集めた『ロハスウィーク』が十三日、鹿児島市呉服町の三越鹿児島店で始まった。『美食暮』に焦点を置いた商品構成で、ゴミ減量効果に備えてその機能性が再び脚光を浴びている
風呂敷
（１１）【楽天市場】の「ｓｌｏｗ　ｗｏｒｋｓ」の「ヘンプ　ティーバッグ」の商品紹介に「
ロハスライフ
（１２）「ロハスなライフスタイルグッズがいっぱい　ｅｍｏｎｏｓｈｏｐ．ｊｐ（いいものショップ）」の「超自然はタイプのファンデーション」の商品紹介に「★年齢を問わず
ロハスライフ
（１３）「竹布ｔａｋｅ−ｆｕ」と題するウェブサイトに「
竹布
ロハス ライフ
タオル、ハンカチ、タオルケット、毛布
（１４）「Ｗｅｌｌｎｅｔ　Ｂｌｏｇ＜ウエルネットグループ＞のウェブサイトに「皆様と『夢』と『感動』の輪をひろげたいウエルネットグループです。様々な情報を提供していきます。」の記載があり、2007年12月17日付けのページには、「
ロハスライフ
（１５）「ロハスなインテリア雑貨　LOHASstudio-zakkareform lifestyle shop」のウェブサイトに「ロハスな空間とロハスなインテリア雑貨を提供するLOHAS studioは首都圏に10店舗。
LOHASなライフスタイル
　そうすると、本願商標は、これをその指定商品について使用しても、これに接する取引者、需要者は、上記意味合いを理解するにとどまり、需要者が何人かの業務に係る商品であることを認識することができないものといわなければならない。
　請求人は、本願商標が宣伝文句ではなく、キャッチフレーズ的でもないことは明らかであり、本願商標は商標法第３条第１項第６号に該当しない、旨主張している。
　しかしながら、本願商標については前記のとおり判断されるものであり、また、ロハス（健康と環境、持続可能な社会生活を心掛ける生活スタイル）に適った商品であることを特徴として商品の販売等が行われていることからすると、「健康と環境、持続可能な社会生活を心掛ける生活スタイルによる生活、暮らし」の意味合いを認識させる本願商標をその指定商品に使用した場合は、上記生活に適した商品であることを示し購買意欲を高めるものといえるから、「人の注意をひくように工夫された簡潔な宣伝文句」（キャッチフレーズ）であるといえるものであって、自他商品の識別標識として認識されるとはいうことができない。
　したがって、本願商標を商標法第３条第１項第６号に該当するものとして、本願を拒絶した原査定は、妥当であって、取り消すことができない。
　よって、結論のとおり審決する。